(57)【要約】【課題】２つの独立した収容室を有し、それぞれの収容室に異なる内容物が封入され、使用直前に収容室を区分している領域を破って各内容物を混合できる、生産性が高い分割封入体を提供する。【解決手段】一枚の矩形状の熱接着性フィルム２を中央で折り返し、折り目３１を有する熱接着性フィルム２に溶着でシール部を形成することにより密封された第１収容室１１と第２収容室１２とが形成され、これらの１収容室１１と第２収容室１２にそれぞれ内容物美容液Ｌ及びスキン用シート５が封入されており、シール部が、折り目３１に平行な端縁相互を直接溶着して形成されたシール強度が高い折り目方向端縁シール部４１と、折り目３１と直交する方向の端縁相互を直接溶着して形成されたシール強度が高い一対の横方向端縁シール部４２，４３と、第１収容室１１と第２収容室１２とを仕切る折り目３１に平行な易剥離性の分割シール部４４とを有する分割封入体とする。【選択図】図１
2014097812.tif 000002
【特許請求の範囲】
【請求項１】
一枚の矩形状の熱接着性フィルムを中央で折り返し、折り目を有する前記熱接着性フィルムに溶着でシール部を形成することにより密封された第１収容室と第２収容室とが形成され、前記第１収容室と第２収容室にそれぞれ内容物が封入されている分割封入体であって、
前記シール部が、前記折り目に平行な端縁相互を直接溶着して形成されたシール強度が高い折り目方向端縁シール部と、前記折り目と直交する方向の端縁相互を直接溶着して形成されたシール強度が高い一対の横方向端縁シール部と、前記第１収容室と前記第２収容室とを仕切る前記折り目に平行な易剥離性の分割シール部とを有することを特徴とする分割封入体。
【請求項２】
請求項１に記載の分割封入体において、
前記シール部が、折り目に沿って溶着で形成された易剥離性の折り目シール部をさらに有することを特徴とする分割封入体。
【請求項３】
請求項１又は２に記載の分割封入体において、
折り目側の前記第１収容室を構成するフィルムに遮光性膜が形成されていることを特徴とする分割封入体。
【請求項４】
請求項１〜３のいずれかに記載の分割封入体において、
前記第１収容室に美容液が封入され、前記第２収容室にスキン用シートが封入されていることを特徴とする分割封入体。
【請求項５】
長尺の熱接着性フィルムを中央で折り返し、対向するフィルム相互の中央部と折り目近傍に折り目に平行に連続的に溶着で易剥離性の分割シール部と折り目シール部を形成する工程と、
前記折り目と直交する方向にフィルムの幅全体に亘って間欠的に溶着でシール強度が高い第１横方向端縁シール部を形成する工程と、
前記折り目と前記分割シール部と前記第１横方向端縁シール部とで囲まれた第１収容室に液体を注入する工程と、
前記折り目と直交する方向にフィルムの幅全体に亘って間欠的に溶着でシール強度が高い第２横方向端縁シール部を形成して前記第１収容室を密封する工程と、
前記第１横方向端縁シール部と第２横方向端縁シール部と分割シール部で囲まれた第２収容室に内容物を収容する工程と、
前記第２収容室の開口部を溶着で連続的にシール強度が高い折り目方向端縁シール部を形成して前記第２収容室を密封する工程とを有することを特徴とする分割封入体の製造方法。
【請求項６】
請求項５に記載の分割封入体の製造方法において、
前記分割シール部と折り目シール部を形成する溶着の温度が、前記第１横方向端縁シール部と前記第２横方向端縁シール部を形成する溶着の温度より低いことを特徴とする分割封入体の製造方法。
【請求項７】
請求項５又は６に記載の分割封入体に製造方法において、
前記熱接着性フィルムが、溶着層を有するラミネート構造を有することを特徴とする分割封入体の製造方法。
【請求項８】
一枚の矩形状の熱接着性フィルムを中央で折り返し、折り目を有する前記熱接着性フィルムに溶着でシール部を形成することにより、密封された第１収容室と、前記折り目に平行な端縁部分に開口部を有する第２収容室とが形成され、前記第１収容室に内容物が封入されている分割封入体であって、
前記シール部が、前記折り目と直交する方向の端縁相互を直接溶着して形成されたシール強度が高い一対の横方向端縁シール部と、前記第１収容室と前記第２収容室とを仕切る前記折り目に平行な易剥離性の分割シール部とを有することを特徴とする分割封入体。
【請求項９】
請求項８に記載の分割封入体において、
前記シール部が、折り目に沿って溶着で形成された易剥離性の折り目シール部をさらに有することを特徴とする分割封入体。
【請求項１０】
請求項８又は９に記載の分割封入体において、
折り目側の前記第１収容室を構成するフィルムに遮光性膜が形成されていることを特徴とする分割封入体。
【請求項１１】
請求項８〜１０のいずれかに記載の分割封入体において、
前記第１収容室に美容液が封入されていることを特徴とする分割封入体。
【請求項１２】
長尺の熱接着性フィルムを中央で折り返し、対向するフィルム相互の中央部と折り目近傍に折り目に平行に連続的に溶着で易剥離性の分割シール部と折り目シール部を形成する工程と、
前記折り目と直交する方向にフィルムの幅全体に亘って間欠的に溶着でシール強度が高い第１横方向端縁シール部を形成する工程と、
前記折り目と前記分割シール部と前記第１横方向端縁シール部とで囲まれた第１収容室に液体を注入する工程と、
前記折り目と直交する方向にフィルムの幅全体に亘って間欠的に溶着でシール強度が高い第２横方向端縁シール部を形成して前記第１収容室を密封する工程とを有することを特徴とする分割封入体の製造方法。
【請求項１３】
請求項１２に記載の分割封入体の製造方法において、
前記分割シール部と折り目シール部を形成する溶着の温度が、前記第１横方向端縁シール部と前記第２横方向端縁シール部を形成する溶着の温度より低いことを特徴とする分割封入体の製造方法。
【請求項１４】
請求項１２又は１３に記載の分割封入体に製造方法において、
前記熱接着性フィルムが、溶着層を有するラミネート構造を有することを特徴とする分割封入体の製造方法。
【発明の詳細な説明】
【技術分野】
【０００１】
本発明は、２つの独立した収容室を有し、それぞれの収容室に異なる内容物が封入され、使用直前に収容室を区分している領域を破って各内容物を混合するようにできる分割封入体及びその製造方法に関するものである。
【背景技術】
【０００２】
例えば、美容液はボトルに、スキン用シートは包装袋に収容され、使用時にスキン用シートを取り出して、スキン用シートに美容液をしみ込ませることが行われている。この場合、美容液の一定量をスキン用シートにしみ込ませるには計量等が必要であり、手間がかかる。また、美容液をスキン用シートに予め染み込ませておくと変質するため、使用直前に染み込ませる必要がある。
【０００３】
そのため、美容液とスキン用シートを易開封性のシール部で仕切られた２つの収容室を有する分割包装袋のそれぞれの収容室に封入し、使用直前に美容液を収納している収容室を押圧して易開封性のシール部を破り、美容液をスキン用シートが収納されている収容室へ導いてスキン用シートに美容液を染み込ませることが可能な分割包装袋が提案されている（例えば、特許文献１参照）。また、このような分割包装袋に美容液とスキン用シートを封入した美容具も市販されている。
【先行技術文献】
【特許文献】
【０００４】
【特許文献１】特開平６−３４５０９８号公報
【発明の概要】
【発明が解決しようとする課題】
【０００５】
しかしながら、従来の、美容液とスキン用シートとを分割包装袋に封入した分割封入体は、生産性が低く、生産コストが高いという問題がある。即ち、従来の分割封入体の製造方法は、例えば図８に示すような上面側の一端側が開口している２つの収容室１０１，１０２がシール部１１１〜１１４で形成された分割包装袋の半製品１００が供給され、この半製品１００のそれぞれの収容室１０１，１０２に開口部から美容液とスキン用シートを収納し、開口部を溶着してシール部を形成することによってそれぞれの収容室１０１，１０２を密封して分割封入体を製造する過程を経るものである。
【０００６】
この半製品１００の分割包装袋に内容物を収納するには、包装袋を搬入する工程を実施した後、包装袋を位置決めする工程を経て開口部を広げ、液体を注入する工程や、スキン用シートを挿入する工程が必要となるため、工程が多くなり、生産性が低く、コスト高となっている。
本発明は、上記問題点に鑑みてなされたもので、生産性が高い分割封入体及びその製造方法を提供することを目的とする。
【課題を解決するための手段】
【０００７】
本発明者らは、上記目的を達成するため、鋭意研究を重ねた結果、次の発明に至った。
【０００８】
［１］本発明の分割封入体は、一枚の矩形状の熱接着性フィルムを中央で折り返し、折り目を有する前記熱接着性フィルムに溶着でシール部を形成することにより密封された第１収容室と第２収容室とが形成され、前記第１収容室と第２収容室にそれぞれ内容物が封入されている分割封入体であって、前記シール部が、前記折り目に平行な端縁相互を直接溶着して形成されたシール強度が高い折り目方向端縁シール部と、前記折り目と直交する方向の端縁相互を直接溶着して形成されたシール強度が高い一対の横方向端縁シール部と、前記第１収容室と前記第２収容室とを仕切る前記折り目に平行な易剥離性の分割シール部とを有することを特徴とする。
【０００９】
この分割封入体は、いずれかの収容室を押圧して内部の圧力を上げて易剥離性の分割シール部を開封し、他の収容室へ内容物を導入することにより、一定量の内容物を他方の内容物と混合することができる。また、この分割封入体は、長尺フィルムを折曲し、易剥離性の分割シール部と横方向端縁シール部とを形成すると、折り目側の収容室が上面に開口部を有する状態で形成されるため、内容物を収容し、更に、横方向端縁シール部を形成して折り目側の収容室を封止すると、側面に開口部がある収容室が形成されるため、別の内容物を側面から収容室へ収納した後、側面を溶着して折り目方向端縁シール部を形成するという工程で製造することができる。この製造工程は、工程が少なく、生産性が高いため、本発明の分割封入体は低コストで製造することができる。
【００１０】
［２］本発明の分割封入体は、上記［１］に記載の分割封入体において、前記シール部が、折り目に沿って溶着で形成された易剥離性の折り目シール部をさらに有することを特徴とする。
【００１１】
折り目に沿って易剥離性のシール部を形成するには、中央部の分割シール部を形成するときに同時に形成することが可能であるため、工程を増加させずに、折り目を畳んで見栄えをよくすることができる。
【００１２】
［３］本発明の分割封入体は、上記［１］又は［２］に記載の分割封入体において、折り目側の前記第１収容室を構成するフィルムに遮光性膜が形成されていることを特徴とする。
【００１３】
アルミニウム蒸着膜のような遮光性膜で覆われている第１収容室に、光で変質する液体などを封入しても、変質することを可及的に抑制することができる。
【００１４】
［４］本発明の分割封入体は、［１］〜［３］のいずれかに記載の分割封入体において、前記第１収容室に美容液が、前記第２収容室にスキン用シートがそれぞれ封入されていることを特徴とする。
【００１５】
本発明の分割封入体は、封入したこれらの内容物を保存しながら、必要なときにスキン用シートに一定量の美容液を染み込ませて用いることができる美容具とすることができる。
【００１６】
［５］本発明の分割封入体の製造方法は、長尺の熱接着性フィルムを中央で折り返し、対向するフィルム相互の中央部と折り目近傍に折り目に平行に連続的に溶着で易剥離性の分割シール部と折り目シール部を形成する第１工程と、前記折り目と直交する方向にフィルムの幅全体に亘って間欠的に溶着でシール強度が高い第１横方向端縁シール部を形成する第２工程と、前記折り目と前記分割シール部と前記第１横方向端縁シール部とで囲まれた第１収容室に液体を注入する第３工程と、前記折り目と直交する方向にフィルムの幅全体に亘って間欠的に溶着でシール強度が高い第２横方向端縁シール部を形成して前記第１収容室を密封する第４工程と、前記第１横方向端縁ヒート横シール部と第２横方向端縁シール部と分割シール部で囲まれた第２収容室に内容物を収容する第５工程と、前記第２収容室の開口部を溶着で連続的にシール強度が高い折り目方向端縁シール部を形成して前記第２収容室を密封する第６工程とを有することを特徴とする。
【００１７】
この製造方法においては、長尺のフィルムから連続的工程で内容物を密封した分割封入体を製造することができる。第２収容室は折り返し端縁側が開口した状態で内容物を収納する形態に形成され、内容物は第２収容室の広い側面から収容される工程になっており、図８に示した上部の狭い開口部から挿入するよりもスキン用シートなどの薄いシートを挿入するのが容易となる。本発明の分割封入体の製造方法は、少ない工程で連続的に分割封入体を製造できるため、低コストで生産が可能である。なお、本発明の分割封入体の製造方法は、第１工程〜第６工程までを同一の装置で連続的に実施することもができる。また、第１工程〜第４工程までを同一の装置で連続的に実施し、第５工程及び第６工程を別工程として実施することもできる。例えば、第５工程を人手により実施し、第６工程を別の機械により実施することもできる。また、第５工程及び第６工程をともに別の機械により実施することもできる。
【００１８】
［６］本発明の分割封入体の製造方法は、上記［５］に記載の分割封入体の製造方法において、前記分割シール部と折り目シール部を形成する溶着温度が、前記第１横方向端縁シール部と前記第２横方向端縁シール部を形成する溶着温度より低いことを特徴とする。
【００１９】
同じフィルムに易剥離性とシール強度が高い２種類のシール強度を付与するには、易剥離性とする部分にパスタテープと呼ばれるフィルムを熱溶着するフィルム間に介在させ、強接着性と易剥離性のシール箇所を同じ温度で熱溶着すると、パスタテープが介在するシール部分が易剥離性となり、介在しない部分のシール部分は強接着性となることで作り分けていた。しかし、この方法では、パスタテープを介在させる工程とパスタテープのコストにより、コスト高を招くという問題がある。本発明においては、熱溶着温度を変えることにより強接着性と易剥離性とを作り分けしているので、コスト的に有利である。
【００２０】
［７］本発明の分割封入体の製造方法は、［５］又は［６］に記載の分割封入体に製造方法において、前記熱接着性フィルムが、溶着層を有するラミネート構造を有することを特徴とする。
【００２１】
この溶着層を対向させて溶着温度を変えて溶着することにより、易剥離性と高いシール強度を有するシール部を形成することができる。
【００２２】
［８］本発明の分割封入体は、一枚の矩形状の熱接着性フィルムを中央で折り返し、折り目を有する前記熱接着性フィルムに溶着でシール部を形成することにより、密封された第１収容室と、前記折り目に平行な端縁部分に開口部を有する第２収容室とが形成され、前記第１収容室に内容物が封入されている分割封入体であって、前記シール部が、前記折り目と直交する方向の端縁相互を直接溶着して形成されたシール強度が高い一対の横方向端縁シール部と、前記第１収容室と前記第２収容室とを仕切る前記折り目に平行な易剥離性の分割シール部とを有することを特徴とする。
【００２３】
本発明の分割封入体によれば、折り目に平行な端縁部分に位置する開口部から第２収容室に内容物を挿入した後、折り目に平行な端縁部分に熱接着性フィルムに溶着でシール部を形成して第２収容室を密封することにより、本発明の分割封入体（上記［１］に記載の分割封入体）を製造することができる。
【００２４】
［９］本発明の分割封入体は、上記［８］に記載の分割封入体において、前記シール部が、折り目に沿って溶着で形成された易剥離性の折り目シール部をさらに有することを特徴とする。
【００２５】
折り目に沿って易剥離性のシール部を形成するには、中央部の分割シール部を形成するときに同時に形成することが可能であるため、工程を増加させずに、折り目を畳んで見栄えをよくすることができる。
【００２６】
［１０］本発明の分割封入体は、上記［８］又は［９］に記載の分割封入体において、折り目側の前記第１収容室を構成するフィルムに遮光性膜が形成されていることを特徴とする。
【００２７】
アルミニウム蒸着膜のような遮光性膜で覆われている第１収容室に、光で変質する液体などを封入しても、変質することを可及的に抑制することができる。
【００２８】
［１１］本発明の分割封入体は、上記［８］〜［１０］のいずれかに記載の分割封入体において、前記第１収容室に美容液が封入されていることを特徴とする。
【００２９】
本発明の分割封入体は、折り目に平行な端縁部分に位置する開口部から第２収容室にスキン用シートを挿入した後、折り目に平行な端縁部分に熱接着性フィルムに溶着でシール部を形成して第２収容室を密封することにより、これらの内容物を保存しながら、必要なときにスキン用シートに一定量の美容液を染み込ませて用いることができる美容具とすることができる。
【００３０】
［１２］本発明の分割封入体の製造方法は、長尺の熱接着性フィルムを中央で折り返し、対向するフィルム相互の中央部と折り目近傍に折り目に平行に連続的に溶着で易剥離性の分割シール部と折り目シール部を形成する工程と、前記折り目と直交する方向にフィルムの幅全体に亘って間欠的に溶着でシール強度が高い第１横方向端縁シール部を形成する工程と、前記折り目と前記分割シール部と前記第１横方向端縁シール部とで囲まれた第１収容室に液体を注入する工程と、前記折り目と直交する方向にフィルムの幅全体に亘って間欠的に溶着でシール強度が高い第２横方向端縁シール部を形成して前記第１収容室を密封する工程とを有することを特徴とする。
【００３１】
この製造方法においては、長尺のフィルムから連続的工程で内容物を密封した分割封入体（上記［８］に記載の分割封入体）を製造することができる。製造される分割封入体は、折り返し端縁側が開口した状態で第２収容室に内容物を収納する形態に形成され、第２収容室の広い側面から内容物を収容可能となる。このため、図８に示した上部の狭い開口部から挿入するよりもスキン用シートなどの薄いシートを挿入するのが容易となる。本発明の分割封入体の製造方法は、少ない工程で連続的に分割封入体を製造できるため、低コストで生産が可能である。
【００３２】
［１３］本発明の分割封入体の製造方法は、上記［１２］に記載の分割封入体の製造方法において、前記分割シール部と折り目シール部を形成する溶着の温度が、前記第１横方向端縁シール部と前記第２横方向端縁シール部を形成する溶着の温度より低いことを特徴とする。
【００３３】
同じフィルムに易剥離性とシール強度が高い２種類のシール強度を付与するには、易剥離性とする部分にパスタテープと呼ばれるフィルムを熱溶着するフィルム間に介在させ、強接着性と易剥離性のシール箇所を同じ温度で熱溶着すると、パスタテープが介在するシール部分が易剥離性となり、介在しない部分のシール部分は強接着性となることで作り分けていた。しかし、この方法では、パスタテープを介在させる工程とパスタテープのコストにより、コスト高を招くという問題がある。本発明においては、熱溶着温度を変えることにより強接着性と易剥離性とを作り分けしているので、コスト的に有利である。
【００３４】
［１４］本発明の分割封入体の製造方法は、上記［１２］又は［１３］に記載の分割封入体に製造方法において、前記熱接着性フィルムが、溶着層を有するラミネート構造を有することを特徴とする。
【００３５】
この溶着層を対向させて溶着温度を変えて溶着することにより、易剥離性と高いシール強度を有するシール部を形成することができる。
【発明の効果】
【００３６】
本発明の分割封入体は、少ない工程で製造できるため、低コストで製造することができる。
本発明の分割封入体の製造方法は、内容物が封入された分割封入体を少ない工程故に低コストで製造することができる。
【図面の簡単な説明】
【００３７】
【図１】本発明の分割封入体の一実施形態を示す平面図である。
【図２】ラミネート構造の熱接着性フィルムの一例を示す断面図である。
【図３】本発明の分割封入体の製造方法の一実施形態を示す工程図である。
【図４】本発明の分割封入体の製造方法の一実施形態を示す工程図である。
【図５】本発明の分割封入体の製造方法の一実施形態を示す工程図である。
【図６】本発明の分割封入体の製造方法の一実施形態を示す工程図である。
【図７】本発明の分割封入体の製造方法の一実施形態を示す工程図である。
【図８】従来の半製品の分割包装袋を示す平面図である。
【発明を実施するための形態】
【００３８】
以下、本発明の分割封入体及びその製造方法の実施の形態について説明するが、本発明は以下の実施の形態に限定されるものではない。
【００３９】
図１に示す本発明の分割封入体１は、美容液Ｌを第１収容室１１へ封入し、スキン用シート５を第２収容室１２へ封入した保湿パックとして示している。この分割封入体１においては、一枚の熱接着性フィルム２を加工して製造された分割包装袋３に内容物が封入されている。分割包装袋３は、矩形状の熱接着性フィルム２が中央で折り返されて折り目３１で対称の２つ折りに形成され、溶着で２枚のフィルムが接合されてシール部が形成されている。シール部は、図１では網点で示されており、折り目３１に平行な端縁相互を直接溶着で形成されたシール強度が高い折り目方向端縁シール部４１と、折り目３１と直交する方向の端縁相互を直接溶着で形成されたシール強度が高い下端の第１横方向端縁シール部４２と上端の第２横方向端縁シール部４３と、第１収容室１１と第２収容室１２とを仕切り折り目３１に平行で溶着によって形成された易剥離性の分割シール部４４と、折り目３１に沿って溶着で形成された易剥離性の折り目シール部４５とを有する。
【００４０】
第１収容室１１は、上下の横方向端縁シール部４２，４３と分割シール部４４と折り目シール部４５に囲まれた密封構造となっており、美容液Ｌが封入されている。一方、第２収容室１２は、上下の横方向端縁シール部４２，４３と分割シール部４４と折り目方向端縁シール部４１とで囲まれた密封構造となっており、スキン用シート５が封入されている。第１収容室１１の両面の熱接着性フィルム２の外面には、アルミニウム蒸着膜２３が遮光膜として形成され、第１収容室１１内の美容液Ｌを遮光している。
【００４１】
図２に、ラミネート構造の熱接着性フィルム２の断面の一例を示す。この熱接着性フィルム２は、第１透明フィルム２１に部分的に形成されたアルミニウム蒸着膜２３を介して第２透明フィルム２２が積層され、第２透明フィルム２２に第３透明フィルム２４がガスバリア層２５を介して積層され、第３透明フィルム２４に溶着層２６が積層されている。
【００４２】
透明フィルムとしては、ポリエチレンテレフタレート（ＰＥＴ）等のポリエステルやポリアミドなどの素材を用いることができ、溶着層２６としては、ポリエチレン等のポリオレフィンやエチレン−酢酸ビニル共重合体（ＥＶＡ）等を用いることができる。アルミニウム蒸着膜２３は、第１収容室１１の両面を覆う領域だけ部分的に形成されていればよい。
【００４３】
図１に示したシール部４１〜４５は、溶着層２６が折り返しにより対向され、熱ローラなどにより圧力と加熱を同時に受けて相互に溶着（ヒートシール）されることにより形成されている。易剥離性の分割シール部４４と折り目シール部４５は、シール強度が高いシール部４１，４２，４３より低温の溶着によりシール強度が低く形成されている。易剥離性の分割シール部４４のシール強度は、例えば第１収容室１１を中央で折り曲げ、指で両側から押圧して第１収容室の内圧を上昇させたときに、剥離が生じて第１収容室１１と第２収容室１２が連通する程度である。シール強度が高いシール部４１，４２，４３のシール強度は、第１収容室１１へ上記のような内圧上昇を起こしても剥離しない程度である。
【００４４】
本発明の分割封入体１は、１枚の長尺のフィルムから製造されているため、製造コストを安価なものとすることができるうえ、折り目３１が存在することにより、折り目シール部４５を設けなくても、分割包装袋３の機能に影響がない（例えば第１収容室１１を中央で折り曲げ、指で両側から押圧して第１収容室の内圧を上昇させたときに美容液Ｌが漏れることがない）ようにできる。但し、折り目３１が丸まっているよりもシール部が形成されている方が見栄えの点で良いため、本実施形態においては、易剥離性のシール部を形成している。
【００４５】
この分割封入体１の特徴は、折り目方向端縁シール部４１がすべてのシール部の最後に形成されている点である。即ち、スキン用シート５は折り目３１と対向する端縁（側面）の開口部より第２収容室１２に挿入されている。従って、折り目方向端縁シール部４１と上下の横方向端縁シール部４２，４３とが重なる部分４６，４７を観察すれば、折り目方向端縁シール部４１が横方向端縁シール部４２，４３の上に後から設けられていることが観察できる。
【００４６】
本発明の分割封入体１は、長尺のフィルムから製造されるものであり、横方向端縁シール部４２，４３の端縁が一枚毎に切り取られる切断箇所になっており、長尺シートから連続的に製造する際に、仮に折り目方向端縁シール部４１を形成した後、スキン用シート５を第２収容室１２に挿入することは極めて困難である、そのため、本発明の分割封入体１においては、折り目方向端縁シール部４１を最後に形成する工程を経て製造されており、その痕跡が、ヒートシールの重なり部４６，４７に存在するものである。
【００４７】
本発明の分割封入体の使用方法は、美容液Ｌが封入されている第１収容室１１を折り目３１と直交する方向を折り目として中央部で２つ折りにし、その状態で手で強く握ると、第１収容室１１の内圧が上昇し、分割シール部４４が内圧に耐えられずに剥離し、第１収容室１１と第２収容室１２が連通する。そして、第１収容室１１の美容液Ｌを第２収容室１２へ押し出して第２収容室１２のスキン用シート５に一定量の美容液Ｌを染み込ませることができる。しかる後、第２収容室１２を開封し、美容液Ｌが染み込んだスキン用シート５を取り出して使用する。
【００４８】
上記説明では、内容物として、美容液とスキン用シートを例示しているが、本発明の分割封入体１は２種類の液体、又は液体と固体の組み合わせ、粉末と液体の組み合わせなど、内容物に制限はない。例えば、醤油とラー油を組み合わせた調味料、二液硬化タイプの２種類の接着剤の組み合わせ、粉わさびと水の組み合わせなどを例示することができる。
【００４９】
次に、図１に示した本発明の分割封入体１の製造方法の一実施形態について図３〜図６を参照して説明する。図３及び図４は個々の分割封入体に着目した工程図であり、図５及び図６は熱接着性フィルム２の動きに着目した工程図である。本発明の分割封入体の製造方法は、長尺の熱接着性フィルム２を原材料として加工することにより製造されるもので、一連の工程を連続的に行う製造装置で自動運転することが可能である。図３及び図４においては、左側にフィルムの断面の概略図を示し、右側に正面図を示す。なお、長尺のフィルムを用いるので、実際には上下に連続しているが、図３及び図４では、切り取った一枚毎の分割封入体として図示している。また、図５及び図６においては、製造装置のうち、折り返しローラ６１、低温熱ローラ６２，６３及び高温熱ローラ６４及び液体注入ノズル６５のみを示している。このうち、高温熱ローラ６４は、熱接着性フィルム２に接触してシール部を形成するときのみ図示し、熱接着性フィルム２に接触せずシール部を形成しないときは図示を省略する。また、液体注入ノズル６５は、第１収容室１１へ液体Ｌを注入するときのみ図示し、第１収容室１１へ液体Ｌを注入しないときは図示を省略する。
【００５０】
まず、原材料として、図３（１）に示すように、第１収容室１１の両面を覆う中央領域にアルミニウム蒸着膜２３が形成されている長尺の熱接着性フィルム２を用いる。この熱接着性フィルム２を、図３（２）及び図５に示すように、折り返しローラ６１などを用いて、熱接着性フィルム２の溶着層２６が対向するように中央で折り返して２つ折りにして折り目３１を形成する。長尺のフィルムであるから、対向した端縁が開口している。
【００５１】
次に、図３（３）及び図６（ａ）に示すように、熱ローラなど（例えば低温熱ローラ６２，６３）でフィルムの中央部と折り目に沿った端縁の２カ所を連続的に熱圧着して易剥離性の分割シール部４４と折り目シール部４５とを形成する。この場合の熱ローラの温度は、例えば１００〜１３０℃程度の温度で易剥離性とするために必要なシール強度を設定することができる。
【００５２】
次いで、図３（４）及び図６（ｂ）に示すように、水平方向に延伸する熱ローラなど（例えば高温熱ローラ６４）で間欠的に熱圧着させることにより、第１横方向端縁シール部４２を形成する。この場合の熱ローラの温度は、例えば１５０〜２００℃程度の温度で強接着性とするために必要なシール強度を設定することができる。第１横方向端縁シール部４２を形成したことにより、折り目３１側に第１収容室１１が上端が開放されて形成される。
【００５３】
次に、図４（５）及び図６（ｃ）に示すように、第２収容室１２へ所定量の美容液Ｌを注入する。美容液Ｌを注入するノズル（例えば美容液注入ノズル６５）は、分割シール部４４と折り目シール部４５を形成する熱ローラの上部から第１横方向端縁シール部４２を形成する熱ローラの上部まで延伸しており、注入口が第１収容室１１内に配置されている構造となっている。
【００５４】
次いで、図４（６）及び図７（ａ）に示すように、水平方向に延伸する熱ローラなど（例えば低温熱ローラ６２，６３）で間欠的に熱圧着させることにより、第２横方向端縁シール部４３を形成して、第１収容室１１を美容液Ｌが収納された状態で封止し、美容液Ｌが封入された第１収容室１１を形成する。同時に、一方の側面が分割シール部４４で、上下が第１横方向端縁シール部４２と第２横方向端縁シール部４３により囲まれ、他方の側面が開放されている第２収容室１２が形成される。この場合の熱ローラの温度は、例えば１５０〜２００℃程度の温度で強接着性とするために必要なシール強度を設定することができる。なお、第１横方向端縁シール部４２及び第２横方向端縁シール部４３は、その部分にエンボス加工を施してもよい。このようにすることにより、シール部の剥離強度をさらに高くすることができる。
【００５５】
その後、上記した工程を繰り返すことにより、図７（ｂ）に示すように、「密封された第１収容室１１と、折り目３１に平行な端縁部分に開口部を有する第２収容室１２とが形成され、第１収容室１１に内容物が封入されている分割封入体であって、シール部が、折り目と直交する方向の端縁相互を直接溶着して形成されたシール強度が高い一対の横方向端縁シール部４２，４３と、第１収容室１１と第２収容室１２とを仕切る折り目３１に平行な易剥離性の分割シール部４４とを有する分割封入体」が長尺方向に沿って連続的に連なった構造体が製造される。
【００５６】
その後、隣接する分割封入体の間を切断することにより、図７（ｃ）に示すように、分割封入体（本発明の上記［８］に記載の分割封入体、すなわち、一枚の矩形状の熱接着性フィルムを中央で折り返し、折り目を有する熱接着性フィルム２に溶着でシール部を形成することにより、密封された第１収容室１１と、折り目３１に平行な端縁部分に開口部を有する第２収容室１２とが形成され、第１収容室１１に内容物が封入されている分割封入体であって、シール部が、折り目３１と直交する方向の端縁相互を直接溶着して形成されたシール強度が高い一対の横方向端縁シール部４２，４３と、第１収容室１１と第２収容室１２とを仕切る折り目３１に平行な易剥離性の分割シール部４４とを有する分割封入体）を製造することができる。
【００５７】
その後さらに、図４（７）に示すように、開放している側縁からスキン用シート５を第２収容室１２へ挿入する。図８に示した従来の分割包装袋１００では、各収容室１０１，１０２の上端が開放され、内容物を上端から収納するが、一枚の長尺フィルムから連続的に製造する場合には、第２収容室１０２へ液体を注入するのは容易であるがスキン用シートなどの物体を挿入することが極めて困難である。そのため、本発明においては、まず、第２横方向端縁シール部４３を先に形成した後に、側面の開口部からスキン用シート５を挿入するようにしている。
【００５８】
最後に、図４（８）に示すように、開口している端縁に沿って熱ローラなど（例えば図示しない高温熱ローラ）で連続的にシール強度が高い折り目方向端縁シール部４１を形成して第２収容室１２を封止し、スキン用シート５を封入した第２収容室１２を形成する。  このことにより、本発明の分割封入体１を完成することができる。
【００５９】
このような分割封入体の製造方法によれば、長尺の熱接着性フィルムから連続的な工程で内容物として液体と物体が封入された分割封入体を製造することができる。そのため、少ない工程で低コストの分割封入体を製造することができる。
【００６０】
なお、隣接する分割封入体の間を切断する前の構造体をそのまま用いて、開放している側縁からスキン用シート５を第２収容室１２へ挿入する工程と、開口している端縁に沿って折り目方向端縁シール部４１を形成して第２収容室１２を封止し、スキン用シート５を封入した第２収容室１２を形成する工程とを行い、その後、隣接する分割封入体の間を切断する工程を行ってもよい。これによっても、本発明の分割封入体１を完成することができる。
【産業上の利用可能性】
【００６１】
本発明の分割封入体は、２つの収容室にそれぞれ別の内容物を密封して、必要に応じて内容物同士を混合することができる用途、例えば、美容業や食品業界などに利用することができる。
本発明の分割封入体の製造方法は、美容業界や食品業界などに利用される分割封入体を製造することができる。
【符号の説明】
【００６２】
１    分割封入体
２    熱接着性フィルム
３    分割包装袋
１１  第１収容室
１２  第２収容室
２１  第１透明フィルム
２２  第２透明フィルム
２３  アルミニウム蒸着膜
２４  第４透明フィルム
２５  ガスバリア層
２６  溶着層
３１  折り目
４１  折り目方向端縁シール部
４２  第１横方向端縁シール部
４３  第２横方向端縁シール部
４４  分割シール部
４５  折り目シール部
５    スキン用シート
６１  折り返しローラ
６２，６３  低温熱ローラ
６４  高温熱ローラ
６５  美容液注入ノズル
Ｌ    美容液
【図１】
2014097812.tif 000003
【図２】
2014097812.tif 000004
【図３】
2014097812.tif 000005
【図４】
2014097812.tif 000006
【図５】
2014097812.tif 000007
【図６】
2014097812.tif 000008
【図７】
2014097812.tif 000009
【図８】
2014097812.tif 000010